(57)【要約】      （修正有）【課題】簡単かつコンパクトに、閃光発光手段および長時間発光可能な発光手段から照射される照射光の照度低下を可及的に低減するようにした発光装置を提供する。  【解決手段】閃光発光手段２の照射光Ｂと発光手段３の照射光Ｃとを装置外部へ案内する共用の発光窓１１と、照射光Ｂを発光窓１１へ案内するプリズム１３と、照射光Ｃを集光しプリズム１３に案内する視度調整レンズ８を具え、プリズム１３は視度調整レンズ８により視度調整された照射光Ｂを反射させて発光窓１１へ案内する反射面１３ａを具え、発光窓１１へ案内された照射光Ｂの光軸Ｇをカメラの撮像レンズの光軸と平行にし、視度調整されプリズム１３の反射面１３ａに向け入射する照射光Ｃの光軸Ｊを、撮像レンズ７の光軸に垂直な方向と平行にする。【選択図】図３
0003126870.tif 000002
【実用新案登録請求の範囲】
【請求項１】
撮像レンズを具えたカメラに用いられる発光装置であって、閃光発光手段から照射された照射光と長時間発光可能な発光手段から照射された照射光とを装置外部へ照射させる発光装置において、
前記閃光発光手段から照射された照射光と前記発光手段から照射された照射光とを前記装置外部へ案内する共用の発光窓と、
前記閃光発光手段の照射光を前記発光窓へ案内するプリズムと、
前記発光手段の照射光を集光して前記プリズムに案内する視度調整レンズを具え、
前記プリズムは、前記視度調整レンズにより視度調整された前記発光手段の照射光を反射させて前記発光窓へ案内する反射面を具えており、
前記閃光発光手段は、前記発光窓へ案内された前記閃光発光手段の照射光の光軸が前記撮像レンズの光軸と平行にされるように配置され、
前記発光手段及び前記視度調整レンズは、該視度調整レンズにより視度調整され前記プリズムの前記反射面に向け入射する前記発光手段の照射光の光軸が、前記撮像レンズの光軸に垂直な方向と平行にされるように配置されることを特徴とする発光装置。
【考案の詳細な説明】
【技術分野】
【０００１】
この考案は、発光装置に関し、特にストロボ等の従来から使用されているいわゆる閃光発光手段と長時間発光可能な発光手段の双方を使用するようにした発光装置に関する。
【背景技術】
【０００２】
ストロボ等のいわゆる瞬時発光の閃光発光手段と、比較的長時間発光が可能な、例えばＬＥＤ（発光ダイオード）発光手段の双方を使用する物品としては、従来から、ＣＣＤ等の撮像素子を使用したデジタルカメラが知られている。
【０００３】
このデジタルカメラでは、従来から通常の静止画像（スチル画像）を撮像するスチルモードと、短時間ではあるが動画像を撮像することが出来るムービーモードとを選択できるものが提供されている。
【０００４】
一方、このようなデジタルカメラでも、暗所でのスチル撮影には、ストロボ等の閃光発光手段を使用し、また暗所での動画撮影では、長時間発光しなければならないから、閃光発光手段を使用することはできず、その代わり上述した長時間発光が可能なＬＥＤ等の発光手段を使用している。
【０００５】
このように、上述した閃光発光手段と発光手段の双方をデジタルカメラ１に使用する場合は、デジタルカメラ１の正面図を示す図５のように、通常、閃光発光手段２と発光手段３とをカメラボディー４の正面５のうち、それぞれ異なる場所にその発光窓２ａ、３ａを配置するしかない。
【０００６】
上述した従来のデジタルカメラ１では、主として静止画像を撮像することが第一目的となることから、閃光発光手段２を最も撮像レンズ７に対してパララックス（視差）が出にくい位置に設け、ＬＥＤ発光手段３はそれ以外の位置に設けるようにしている。 
このことは言い換えれば発光手段３は、閃光発光手段２よりも撮像レンズ７の光軸に対してずれた位置に配設せざるを得ないことを示している。
【考案の開示】
【考案が解決しようとする課題】
【０００７】
ところで、従来の発光装置では、発光手段３は、閃光発光手段２よりも撮像レンズ７の光軸に対してずれた位置に配設されるから、この場合、撮像レンズ７の画角をカバーするためには発光面３ａから照射される照射光の照射角を一層広げなければならず、そうすると照射角を一層広角にするためＬＥＤ型発光手段３による照射照度が一層低下し良好な動画像を撮像することができなくなる虞がある。
【０００８】
この考案は、上述した事情に鑑み、長時間発光可能な発光手段から照射される照射光の照度低下を可及的に低減する発光装置を提供することを目的とする。
【課題を解決するための手段】
【０００９】
上述した課題を解決するため、この本願考案は、撮像レンズを具えたカメラに用いられる発光装置であって、閃光発光手段から照射された照射光と長時間発光可能な発光手段から照射された照射光とを装置外部へ照射させる発光装置において、前記閃光発光手段から照射された照射光と前記発光手段から照射された照射光とを前記装置外部へ案内する共用の発光窓と、前記閃光発光手段の照射光を前記発光窓へ案内するプリズムと、前記発光手段の照射光を集光して前記プリズムに案内する視度調整レンズを具え、前記プリズムは、前記視度調整レンズにより視度調整された前記発光手段の照射光を反射させて前記発光窓へ案内する反射面を具えており、前記閃光発光手段は、前記発光窓へ案内された前記閃光発光手段の照射光の光軸が前記撮像レンズの光軸と平行にされるように配置され、前記発光手段及び前記視度調整レンズは、該視度調整レンズにより視度調整され前記プリズムの前記反射面に向け入射する前記発光手段の照射光の光軸が、前記撮像レンズの光軸に垂直な方向と平行にされるように配置されることを特徴としている。
【考案の効果】
【００１０】
本願考案は、撮像レンズを具えたカメラに用いられる発光装置であって、閃光発光手段から照射された照射光と長時間発光可能な発光手段から照射された照射光とを装置外部へ照射させる発光装置において、前記閃光発光手段から照射された照射光と前記発光手段から照射された照射光とを前記装置外部へ案内する共用の発光窓と、前記閃光発光手段の照射光を前記発光窓へ案内するプリズムと、前記発光手段の照射光を集光して前記プリズムに案内する視度調整レンズを具え、前記プリズムは、前記視度調整レンズにより視度調整された前記発光手段の照射光を反射させて前記発光窓へ案内する反射面を具えており、前記閃光発光手段は、前記発光窓へ案内された前記閃光発光手段の照射光の光軸が前記撮像レンズの光軸と平行にされるように配置され、前記発光手段及び前記視度調整レンズは、該視度調整レンズにより視度調整され前記プリズムの前記反射面に向け入射する前記発光手段の照射光の光軸が、前記撮像レンズの光軸に垂直な方向と平行にされるように配置されることとしたから、閃光発光手段の照射光と発光手段の照射光が同一の共用の発光窓から照射されることとなって閃光発光手段及び発光手段の各照射光の照射角が同一となり、そのため特に発光手段の照射角を必要以上に広げないで済み、これにより発光手段による照射照度の低下を可及的に低減させることが出来、また複数の発光窓を持たないですむので、部品点数及び装置全体の省スペース化が図られ、このため一層小型でしかもコンパクトな発光装置を提供することが出来、さらに閃光発光手段の照射光の光軸が撮像レンズの光軸に対し平行であるので、閃光発光手段の光軸を補正する光軸補正手段(視度補正フィルター等)を設ける必要もなく、これにより閃光発光手段の照射光の減衰を可及的に防止することができ、しかも発光手段と閃光発光手段の反射板とが離れて配置されるため、閃光発光手段の反射板に高電圧が印加される場合に該高電圧がリークする虞を可及的に防止することができる。
【考案を実施するための最良の形態】
【００１１】
以下、この考案に係る発光装置の一実施例を詳述する。
【００１２】
図１は、この考案に係る発光装置１０を装着したデジタルカメラ２０の正面図で、図５と同一部分は同一符号で示す。 
このデジタルカメラ２０のボディー正面５には、一つの発光窓１１が配設されている。また、デジタルカメラ２０の正面５には、撮像レンズ７が配置されている。
【００１３】
一方、この発光窓１１のＡＡ要部拡大断面図で示す図２のように、カメラボディー２１内には、本願考案に係る発光装置１０が配設されている。  
この発光装置１０は、ストロボ等の閃光発光手段２と長時間発光可能な発光手段３を具えている。  
このうち、閃光発光手段２は、図面垂直方向へ向け配設された円筒形状の発光管２ｂとその発光管２ａから照射された照射光をプリズム１３（後述）へ向け集光する円弧形状の反射板２ｃとから構成されている。  
また、発光手段３は１個乃至は複数個のＬＥＤを配列したＬＥＤ発光モジュール３ｂから構成されている。
【００１４】
また、発光装置１０は、閃光発光手段の照射光を発光窓へ案内するブロック状のプリズム１３と、発光手段３の照射光を集光してプリズム１３に案内する視度調整レンズ８を具えている。  
また、プリズム１３は、視度調整レンズ８により視度調整された発光手段３の照射光を反射させて発光窓１１へ案内する反射面１３ａを具えている。  
なお発光窓１１は、後述するように、閃光発光手段２から照射された照射光Ｂ（図３）と発光手段３から照射された照射光Ｃ（図４）とを装置１０の外部へ案内する共用の発光窓である。
【００１５】
また、閃光発光手段２は、発光窓１１へ案内された閃光発光手段２の照射光の光軸Ｇ（図３）が撮像レンズ７の光軸（図示しない）と平行にされるように配置されている。  
また発光手段３及び視度調整レンズ８は、該視度調整レンズ８により視度調整されプリズム１３の反射面１３ａに向け入射する発光手段３の照射光の光軸Ｊ（図４）が、撮像レンズ７の前記光軸に垂直な方向と平行にされるように配置されている。
【００１６】
次に、上述した発光装置１０の作用を説明する。
【００１７】
図３に示すように、デジタルカメラ２０によるスチルモードの際に、閃光発光手段２の発光管２ｂからプリズム１３へ向け矢印Ｂで示す照射光が照射されると、その照射光Ｂは、プリズム１３を介し共用の発光窓１１へ向け案内され、この発光窓１１から前記閃光型発光手段２の照射光Ｂは発光装置１０の外部へ照射されることとなる。  
またこのとき、発光窓１１へ案内された閃光発光手段２の照射光Ｂの光軸Ｇは、撮像レンズ７の上記光軸と平行である。
【００１８】
一方、図４に示すように、デジタルカメラ２０によるムービーモードの際に、発光手段３のＬＥＤ発光モジュール３ｂから反射手段１２へ向け矢印Ｃで示す照射光が照射されると、その照射光Ｃはプリズム１３を構成する反射面１３ａへ向け照射され、さらにこの反射面１３ａにより共用の発光窓１１へ向け反射して案内され、この発光窓１１から発光手段３の照射光Ｃは発光装置１０の外部へ照射される。  
またこのとき、視度調整レンズ８により視度調整されプリズム１３の反射面１３ａに向け入射する発光手段３の照射光Ｃの光軸Ｊは、撮像レンズ７の上記光軸に垂直な方向と平行である。
【００１９】
上述した発光装置１０によると、閃光発光手段２の照射光Ｂと発光手段３の照射光Ｃとをそれぞれ共用の同一の発光窓１１へ案内し、その同一の発光窓１１から双方の照射光Ｂ、Ｃをそれぞれ発光装置１０の外部へ照射させるから、閃光発光手段２及び発光手段３の各照射光Ｂ、Ｃの照射角を同一にすることが出来、また発光装置１０の配設位置を撮像レンズ７に対してパララックス（視差）が出にくい位置に設けることにより特に発光手段３の照射角を必要以上に広げないで済み、このため発光手段３による照射照度の低下を可及的に低減させ、これにより良好な動画像を撮像することが出来る。
【００２０】
また上述した発光装置１０では共用の一つの発光窓１１のみで従来の如く複数の発光窓を持たないから部品点数及び装置全体の省スペース化が図られ、このため一層小型でしかもコンパクトな発光装置を提供することが出来ることとなる。
【００２１】
また、上述した発光装置１０では、閃光発光手段２は、発光窓１１へ案内された閃光発光手段２の照射光Ｂの光軸Ｇ（図３）が撮像レンズ７の上記光軸と平行にされるように配置されているので、従来の発光装置（特願２００５−２４９３７５号公報）のように、閃光発光手段２の光軸を補正する光軸補正手段(視度補正フィルター等)を設ける必要もなく、そのため光軸補正手段を設けた場合に生じる閃光発光手段２の照射光Ｂの減衰を可及的に防止することができる。  
すなわち、従来の発光装置（特願２００５−２４９３７５号公報）では、発光閃光手段２の照射光Ｂと発光手段３の照射光Ｃとを同一の共用の発光窓１１を介して装置外部に照射させるため、発光閃光手段２と発光手段３とを互いに対向するように配置する構造としている。そのため、発光閃光手段２の光軸Ｇが撮像レンズ７の上記光軸に対して平行でなく、これにより光軸補正手段(視度補正フィルター等)が必要になる。また該光軸補正手段を設けると、閃光発光手段２の照射光Ｂの減衰が大きくなるという問題があったが、本願考案の発光装置１０では、この問題を解決することができる。
【００２２】
また、上述した発光装置１０では、閃光発光手段２の照射光Ｂを発光窓１１へ案内するプリズム１３と、発光手段３の照射光Ｃを集光してプリズム１３に案内する視度調整レンズ８を具えており、閃光発光手段２は、発光窓１１へ案内された閃光発光手段２の照射光Ｂの光軸Ｇ（図３）が撮像レンズ７の上記光軸と平行にされるように配置され、発光手段３及び視度調整レンズ８は、該視度調整レンズ８により視度調整されプリズム１３の反射面１３ａに向け入射する発光手段３の照射光Ｃの光軸Ｊ（図４）が、撮像レンズ７の上記光軸に垂直な方向と平行にされるように配置されるから、発光手段３と閃光発光手段２の反射板２ｂとが離れて配置されることとなる。そのため、閃光発光手段２の閃光発光の際、反射板２ｂに高電圧が印加される場合に該高電圧がリークする虞を可及的に防止することができる。
【００２３】
また、上記各実施例では、本願考案に係る発光装置１０をデジタルカメラ２０内に予め内臓したものについて詳述したが、この考案は上記実施例に限定されることなく、デジタルカメラ２０とは独立した外付けの発光装置１０として適用しても良く、さらにはデジタルカメラ２０以外の各種の物品、例えばデジタルビデオカメラ等の発光装置として適用するようにしても良いことはもちろんである。
【００２４】
また、上記実施例では発光手段３として、ＬＥＤ発光手段を取り上げたが、この考案は上記実施例に限定されることなく例えば長時間発光可能な発光手段３としてランプ光源を用いても良い。  
【産業上の利用可能性】
【００２５】
以上説明したように、この考案は、簡単かつコンパクトに、閃光発光手段および長時間発光可能な発光手段から照射される照射光の照度低下を可及的に低減するようにした発光装置に適している。    
【図面の簡単な説明】
【００２６】
【図１】図１はこの考案に係る発光装置を適用したデジタルカメラの正面図。
【図２】図２は図１の要部ＡＡ拡大断面図で、特にこの考案に係る発光装置を概念的に示した断面図。
【図３】図３はこの考案に係る発光装置の作用を示す断面図。
【図４】図４はこの考案に係る発光装置の作用を示す断面図。
【図５】図５は従来の発光装置を適用したデジタルカメラの正面図。
【符号の説明】
【００２７】
２…閃光発光手段
３…発光手段
７…撮像レンズ
８…視度調整レンズ
１０…発光装置
１１…発光窓
１３…プリズム
１３ａ…反射面
２０…カメラ（デジタルカメラ）
Ｂ…閃光発光手段から照射された照射光
Ｃ…長時間発光可能な発光手段から照射された照射光
Ｇ…発光窓へ案内された前記閃光発光手段の照射光の光軸
Ｊ…視度調整されプリズムの反射面に向け入射する発光手段の照射光の光軸
【図１】
0003126870.tif 000003
【図２】
0003126870.tif 000004
【図３】
0003126870.tif 000005
【図４】
0003126870.tif 000006
【図５】
0003126870.tif 000007